(57)【要約】ワイヤレスマイクロホン用通信システム１は、ＬＡＮインターフェースを有する一台以上の制御装置２１〜２４と、ＬＡＮインターフェースを有しワイヤレスマイクロホンの送信機からの電波を受信する一台以上の受信機１１〜１８とを備えている。該一台以上の受信機１１〜１８と該一台以上の制御装置２１〜２４とは、ＬＡＮ上で接続されている。各制御装置２１〜２４には、それぞれ対応する表示装置が接続されている。各制御装置２１〜２４は、ＬＡＮを介して、該一台以上の受信機１１〜１８から該受信機の情報を受け取る。各制御装置２１〜２４は、受け取った受信機の情報を、対応する表示装置に表示させる。
2005006806.tif 000002
【特許請求の範囲】
【請求項１】
ＬＡＮインターフェースを有する一台以上の制御装置と、
ＬＡＮインターフェースを有しワイヤレスマイクロホンの送信機からの電波を受信する一台以上の受信機と、を備えたワイヤレスマイクロホン用通信システムであって、
該一台以上の受信機と該一台以上の制御装置とがＬＡＮ上で接続され、
各制御装置には、それぞれ対応する表示装置が接続され、
各制御装置は、ＬＡＮを介して、該一台以上の受信機から該受信機の情報を受け取り、
各制御装置は、受け取った受信機の情報を、対応する表示装置に表示させる、ワイヤレスマイクロホン用通信システム。
【請求項２】
ＬＡＮインターフェースを有し、ワイヤレスマイクロホンの送信機からの電波を受信する受信機が接続された、一台以上の制御装置と、
ＬＡＮインターフェースを有し、受信機が接続されない一台以上の制御装置と、を備えたワイヤレスマイクロホン用通信システムであって、
全ての該制御装置がＬＡＮ上で接続され、
各制御装置には、それぞれ対応する表示装置が接続され、
各制御装置は、ＬＡＮを介して、他の制御装置に接続されている受信機の情報を、該受信機が接続されている制御装置から受け取り、
受信機が接続されない各制御装置は、ＬＡＮを介して受け取った受信機の情報を、対応する表示装置に表示させ、
受信機が接続された各制御装置は、対応する受信機からの情報と、ＬＡＮを介して受け取った受信機の情報とを、対応する表示装置に表示させる、ワイヤレスマイクロホン用通信システム。
【請求項３】
ＬＡＮインターフェースを有し、ワイヤレスマイクロホンの送信機からの電波を受信する受信機が接続された、複数台の制御装置を備えたワイヤレスマイクロホン用通信システムであって、
全ての該制御装置がＬＡＮ上で接続され、
各制御装置には、それぞれ対応する表示装置が接続され、
各制御装置は、ＬＡＮを介して、他の制御装置に接続されている受信機の情報を、該受信機が接続されている制御装置から受け取り、
各制御装置は、対応する受信機からの情報と、ＬＡＮを介して受け取った受信機の情報とを、対応する表示装置に表示させる、ワイヤレスマイクロホン用通信システム。
【請求項４】
各制御装置は、受け取った受信機の情報に基づいて警告メッセージを作成し、該警告メッセージを対応する表示装置に表示させる、請求項１乃至３のいずれか一の項に記載のワイヤレスマイクロホン用通信システム。
【請求項５】
各制御装置にはそれぞれ対応する入力装置が接続され、
各制御装置は、対応する入力装置から文字列情報を受け取り、該文字列情報を、ＬＡＮを介して他の制御装置に送出し、
各制御装置は、対応する入力装置から入力された文字列情報と他の制御装置からの文字列情報とを、受信機の情報とともに、対応する表示装置に表示させる、請求項１乃至４のいずれか一の項に記載のワイヤレスマイクロホン用通信システム。
【請求項６】
該文字列情報の表示が、該表示装置上の複数の受信機の情報の表示の内の一の表示と関連し、
該文字列情報が、該複数の受信機の情報の表示の内の該一の表示に対応する受信機に関係する情報である、請求項５記載のワイヤレスマイクロホン用通信システム。
【請求項７】
該文字列情報の表示の色が、該複数の受信機の情報の表示の内の該一の表示の色と同一である、請求項６記載のワイヤレスマイクロホン用通信システム。
【請求項８】
該文字列情報の表示が、該表示装置上において、該複数の受信機の情報の表示の内の該一の表示の近傍に位置する、請求項６記載のワイヤレスマイクロホン用通信システム。
【請求項９】
各受信機が、いずれかの制御装置からの制御信号を受け取り、該制御信号に従って、その設定状態を変更させる、請求項１乃至８のいずれか一の項に記載のワイヤレスマイクロホン用通信システム。
【請求項１０】
該制御装置がコンピュータによって構成される、請求項１乃至９のいずれか一の項に記載のワイヤレスマイクロホン用通信システム。
【請求項１１】
各コンピュータ上で作動する一のアプリケーションプログラムが、対応する入力装置から入力された文字列情報と他のコンピュータからの文字列情報とを、受信機からの情報とともに、対応する表示装置において一のウインドウ上に表示させる、請求項１０記載のワイヤレスマイクロホン用通信システム。
【請求項１２】
テレビカメラを備え、
該テレビカメラが前記ＬＡＮ上に接続され、
該テレビカメラからの画像が、各制御装置の表示装置に、受信機の情報と共に表示される、請求項１乃至１１のいずれか一の項に記載のワイヤレスマイクロホン用通信システム。
【請求項１３】
少なくとも一の制御装置に記憶手段が接続され、該制御装置は、該テレビカメラからの画像情報と、受信機の情報に基づいた情報とを、該記憶手段に記憶させる、請求項１２記載のワイヤレスマイクロホン用通信システム。
【請求項１４】
テレビカメラと記憶手段とを備え、
該制御装置のうちの少なくとも一の制御装置は、該テレビカメラからの画像情報を受信し、
該画像情報を受信する制御装置は、ＬＡＮを介して、該受信機からＲＦレベルの情報を連続的に検知し、
該画像情報を受信する制御装置は、検知したＲＦレベルが所定レベル以下であるか否かを判断し、検知したＲＦレベルが所定レベル以下であると判断したときの該テレビカメラからの画像情報を該記憶手段に記憶する、請求項１乃至１１のいずれか一の項に記載のワイヤレスマイクロホン用通信システム。
【請求項１５】
計時手段を備え、
該画像情報を受信する制御装置は該計時手段からの時間情報とを受信し、
該画像情報を受信する制御装置は、検知したＲＦレベルが所定レベル以下であると判断したときの該テレビカメラからの画像情報を該計時手段からの時間情報と共に該記憶手段に記憶する、請求項１４記載のワイヤレスマイクロホン用通信システム。
【請求項１６】
該画像情報を受信する制御装置は、ＬＡＮを介して、該受信機からＲＦレベルの情報を連続的に検知する、請求項１４又は１５記載のワイヤレスマイクロホン用通信システム。
【発明の詳細な説明】
【技術分野】  この出願に係る発明は、ワイヤレスマイクロホン用の通信システムに関し、特に、舞台での使用に適したものに関する。
【背景技術】  例えば舞台でワイヤレスマイクロホンが使用される場合がある。舞台上で演技をする複数の演技者は、それぞれ携帯型のワイヤレスマイクロホンを携帯し、各演技者の発する音声をそれぞれのワイヤレスマイクロホンで収音し、舞台に設置された拡声装置から拡声するのである。
各演技者の携えるワイヤレスマイクロホンからの電波は、対応する受信機に送られるのであるが、受信機による受信状態が常に良好であるとは限らない。例えば、ミキシングコンソールを操作しつつ、舞台の演目の進行を監視するオペレータＡが、ある演技者のワイヤレスマイクロホンからの受信状態が良好ではないと気付くことがある。このようなときは、舞台袖に待機する他のオペレータ（オペレータＢ）に対して、そのワイヤレスマイクロホンの状態のチェックや保守を命じなければならない。そのために、オペレータＡが、構内のインターカムシステム等を使用して、舞台袖のオペレータＢに指示を与える。
このような方法は、ワイヤレスマイクロホンによる通信システムの規模が小さく、オペレータの人数が少ないような場合には、大きな問題を起こさないかもしれない。しかし、ワイヤレスマイクロホンによる通信システムの規模が大きく、オペレータの人数が多いような場合には種々の問題を生ずる。例えば、メインのオペレータから他のオペレータへの指示が錯綜してしまう場合や、メインのオペレータからの指示に対して他のオペレータがその指示どおりに対応したか否かを確認できない場合も生ずる。これは、全てのオペレータがワイヤレスマイクロホンによる通信システムの状態を等しく把握することが困難であることから生ずる問題である。
また、上述したオペレータ間の指示において、音声によるコミュニケーションを行う場合、例えば、上演中などは大きな声を出せないといった問題も生ずる。さらに指示を出した者がだれなのかを正確に判断することが難しいといった問題もある。
さらに、インターカムシステムが無線方式のものである場合には、ワイヤレスマイクロホンシステムとの干渉が生ずる場合もある。
さらに、舞台で使用されるワイヤレスマイクロホンの送信機は、例えば、演技者の衣装の中に埋め込まれて使用されることがある。上述したような保守や初期設定などの際には、その都度、ワイヤレスマイクロホンの送信機にある操作部を操作するために衣装からワイヤレスマイクロホンを取り出さなければならず、保守や初期設定が困難な場合が多い。
なお、舞台装置のワイヤレス操作システムに関する文献（例えば、日本国特許出願公開２００２−１１９７７４号公報参照）もあるが、そこに記載されたシステムは上記の問題を解決できるようなものではない。
【発明の開示】
本願発明は上記問題点に鑑み、複数のオペレータがワイヤレスマイクロホンによる通信システムの状態を等しく把握することができるようなワイヤレスマイクロホン用通信システムを提供することを目的とする。
上記課題を解決するために、本願発明のワイヤレスマイクロホン用通信システムは、ＬＡＮインターフェースを有する一台以上の制御装置と、ＬＡＮインターフェースを有しワイヤレスマイクロホンの送信機からの電波を受信する一台以上の受信機と、を備えたワイヤレスマイクロホン用通信システムであって、該一台以上の受信機と該一台以上の制御装置とがＬＡＮ上で接続され、各制御装置には、それぞれ対応する表示装置が接続され、各制御装置は、ＬＡＮを介して、該一台以上の受信機から該受信機の情報を受け取り、各制御装置は、受け取った受信機の情報を、対応する表示装置に表示させる。
また、上記課題を解決するために、本願発明のもう一つのワイヤレスマイクロホン用通信システムは、ＬＡＮインターフェースを有し、ワイヤレスマイクロホンの送信機からの電波を受信する受信機が接続された、一台以上の制御装置と、ＬＡＮインターフェースを有し、受信機が接続されない一台以上の制御装置と、を備えたワイヤレスマイクロホン用通信システムであって、全ての該制御装置がＬＡＮ上で接続され、各制御装置には、それぞれ対応する表示装置が接続され、各制御装置は、ＬＡＮを介して、他の制御装置に接続されている受信機の情報を、該受信機が接続されている制御装置から受け取り、受信機が接続されない各制御装置は、ＬＡＮを介して受け取った受信機の情報を、対応する表示装置に表示させ、受信機が接続された各制御装置は、対応する受信機からの情報と、ＬＡＮを介して受け取った受信機の情報とを、対応する表示装置に表示させる。
また、上記課題を解決するために、本願発明のさらにもう一つのワイヤレスマイクロホン用通信システムは、ＬＡＮインターフェースを有し、ワイヤレスマイクロホンの送信機からの電波を受信する受信機が接続された、複数台の制御装置を備えたワイヤレスマイクロホン用通信システムであって、全ての該制御装置がＬＡＮ上で接続され、各制御装置には、それぞれ対応する表示装置が接続され、各制御装置は、ＬＡＮを介して、他の制御装置に接続されている受信機の情報を、該受信機が接続されている制御装置から受け取り、各制御装置は、対応する受信機からの情報と、ＬＡＮを介して受け取った受信機の情報とを、対応する表示装置に表示させる。
かかるワイヤレスマイクロホン用通信システムによれば、複数のオペレータがワイヤレスマイクロホンによる通信システムの状態を等しく把握することができ、即時に設定等を変更することができる。
また、上記のワイヤレスマイクロホン用通信システムにおいて、各制御装置は、受け取った受信機の情報に基づいて警告メッセージを作成し、該警告メッセージを対応する表示装置に表示させるようにしてもよい。
また、上記のワイヤレスマイクロホン用通信システムにおいて、各制御装置にはそれぞれ対応する入力装置が接続され、各制御装置は、対応する入力装置から文字列情報を受け取り、該文字列情報を、ＬＡＮを介して他の制御装置に送出し、各制御装置は、対応する入力装置から入力された文字列情報と他の制御装置からの文字列情報とを、受信機の情報とともに、対応する表示装置に表示させるようにしてもよい。
また、上記のワイヤレスマイクロホン用通信システムにおいて、該文字列情報の表示が、該表示装置上の複数の受信機の情報の表示の内の一の表示と関連し、該文字列情報が、該複数の受信機の情報の表示の内の該一の表示に対応する受信機に関係する情報であってもよい。
また、上記のワイヤレスマイクロホン用通信システムにおいて、該文字列情報の表示の色が、該複数の受信機の情報の表示の内の該一の表示の色と同一であってもよい。
また、上記のワイヤレスマイクロホン用通信システムにおいて、該文字列情報の表示が、該表示装置上において、該複数の受信機の情報の表示の内の該一の表示の近傍に位置してもよい。
また、上記のワイヤレスマイクロホン用通信システムにおいて、各受信機が、いずれかの制御装置からの制御信号を受け取り、該制御信号に従って、その設定状態を変更させるようにしてもよい。
また、上記のワイヤレスマイクロホン用通信システムにおいて、該制御装置がコンピュータによって構成されてもよい。
また、上記のワイヤレスマイクロホン用通信システムにおいて、各コンピュータ上で作動する一のアプリケーションプログラムが、対応する入力装置から入力された文字列情報と他のコンピュータからの文字列情報とを、受信機からの情報とともに、対応する表示装置において一のウインドウ上に表示させるようにしてもよい。
また、上記のワイヤレスマイクロホン用通信システムにおいて、テレビカメラを備え、該テレビカメラが前記ＬＡＮ上に接続され、該テレビカメラからの画像が、各制御装置の表示装置に、受信機の情報と共に表示されるようにしてもよい。
また、上記のワイヤレスマイクロホン用通信システムにおいて、少なくとも一の制御装置に記憶手段が接続され、該制御装置は、該テレビカメラからの画像情報と、受信機の情報に基づいた情報とを、該記憶手段に記憶させるようにしてもよい。
また、ワイヤレスマイクロホン用通信システムにおいて、テレビカメラと記憶手段とを備え、該制御装置のうちの少なくとも一の制御装置は、該テレビカメラからの画像情報を受信し、該画像情報を受信する制御装置は、ＬＡＮを介して、該受信機からＲＦレベルの情報を連続的に検知し、該画像情報を受信する制御装置は、検知したＲＦレベルが所定レベル以下であるか否かを判断し、検知したＲＦレベルが所定レベル以下であると判断したときの該テレビカメラからの画像情報を該記憶手段に記憶するようにしてもよい。
また、ワイヤレスマイクロホン用通信システムにおいて、計時手段を備え、該画像情報を受信する制御装置は該計時手段からの時間情報とを受信し、該画像情報を受信する制御装置は、検知したＲＦレベルが所定レベル以下であると判断したときの該テレビカメラからの画像情報を該計時手段からの時間情報と共に該記憶手段に記憶するようにしてもよい。
また、ワイヤレスマイクロホン用通信システムにおいて、該画像情報を受信する制御装置は、ＬＡＮを介して、該受信機からＲＦレベルの情報を連続的に検知するようにしてもよい。
本発明の上記目的、他の目的、特徴、及び利点は、添付図面参照の下、以下の好適な実施態様の詳細な説明から明らかにされる。
【図面の簡単な説明】  図１は、ワイヤレスマイクロホン用通信システムのブロック図である。
図２は、コンピュータと、これに接続された周辺機器を示すブロック図である。
図３は、表示装置の表示領域の図である。
図４は、受信機領域の図である。
図５は、文字列領域の図である。
図６は、テレビカメラが設置された舞台の縦断面図である。
図７は、舞台の平面図である。
図８は、ＲＦレベルの時間的な変化を示す図である。
図９は、コンピュータがテレビカメラから受信した、時間ｔ１における画像である。
図１０は、ワイヤレスマイクロホンと受信機の概略構成を示すブロック図である。
図１１は、ワイヤレスマイクロホンと携帯情報端末（ＰＤＡ）の概略構成を示すブロック図である。
図１２は、ワイヤレスマイクロホン用通信システムのブロック図である。
【発明を実施するための最良の形態】  この出願発明の実施形態を図面を参照しながら説明する。
図１は、本願発明の一実施例たる、ワイヤレスマイクロホン用通信システム１のブロック図である。
このワイヤレスマイクロホン用通信システム１は、舞台でのある演目のために設置されたものである。
図１のワイヤレスマイクロホン用通信システム１は、ワイヤレスマイクロホンの送信機からの電波を受信する受信機１１，１２，・・・，１７，１８と、制御装置としてのコンピュータ２１，２２，２３，２４と、テレビカメラ３０とを備えている。
受信機１１，１２，・・・，１７，１８と、コンピュータ２１，２２，２３，２４とは、ＬＡＮインタフェースを有している。各受信機１１〜１８とコンピュータ２１〜２４とは、ＨＵＢ４１，４２，４３を介して、イーサネット５０に接続されており、全体としてＬＡＮを構成している。
コンピュータ２１にはテレビカメラ３０が接続されている。
コンピュータ２４は、舞台の全体を見通すことができる位置に設置されている。そこには、ワイヤレスマイクロホンで収音した音声を拡声するための電気音響装置（拡声装置）の全体を調整するためのミキシングコンソールも設置されている。そして、コンピュータ２４の近傍にはオペレータＡが待機している。
受信機１１〜１８およびコンピュータ２２は、舞台袖に設置されている。その近傍にはオペレータＢが待機している。
図２は、コンピュータ２２，２４と、これに接続された周辺機器を示すブロック図である。図１では省略されているが、コンピュータ２２には、入力装置たるキーボード２２ａと、表示装置２２ｂとが接続されている。またコンピュータ２４には、入力装置たるキーボード２４ａと、表示装置２４ｂとが接続されている。また、図２には示されていないが、コンピュータ２１，２３にも同様にキーボードと表示装置とが接続されている。
各コンピュータ２１〜２４は、ＬＡＮを介して、受信機１１〜１８からの情報を受け取っている。受信機１１〜１８からの情報とは、ＲＦレベル（受信電界強度）、オーディオ出力レベル（ＶＵレベル）などである。また、各受信機１１〜１８に対応するワイヤレスマイクロホンから、該ワイヤレスマイクロホンの電池の残量の情報が受信機１１〜１８に送出されており、各コンピュータ２１〜２４は各受信機１１〜１８からこの電池の残量に関する情報も受け取っている。
コンピュータ２１〜２４の上では、これらの情報が入力されるアプリケーションプログラムＥが作動している。各コンピュータ２１〜２４の上のアプリケーションプログラムＥは、すべて同一のものである。
このアプリケーションプログラムＥは、受信機１１〜１８からの情報のみならず、キーボードから入力された文字列情報も入力している。そしてこのアプリケーションプログラムＥは、表示装置に一のウインドウを表示させる。
図３は、表示装置２２ｂの表示領域６０の図である。表示領域６０上に、アプリケーションプログラムＥによるウインドウ７１、及び、他のアプリケーションプログラムＦによるウインドウ７２が表示されている。なお、コンピュータ２２以外のコンピュータに接続された表示装置にも、表示装置２２ｂのウインドウ７１と同一のウインドウが表示されている。
ウインドウ７１には、受信機１１〜１８からの情報を表示する受信機領域６１〜６８と、文字列を表示する文字列領域６９とが表れている。
図４は受信機領域６１の図である。受信機領域６１には、受信機１１からの情報が表示されている。受信機領域６１には、ＲＦレベルが表示されている。ＲＦレベルが「Ａ」と「Ｂ」とに分かれて示されているのは、ワイヤレスマイクロホンからの電波がダイバーシティ方式で受信されているためである。すなわち、アンテナＡとアンテナＢとに関するＲＦレベルを別々に示しているのである。
また、受信機領域６１の右下の部分には、電池の残量の状態も表示されている。この電池の残量とは、受信機１１に対応するワイヤレスマイクロホンの電池の残量である。
また、受信機領域６１には、ＶＵレベルも表示されている。
受信機領域６１における「Ｕｓｅｒ１」なる表示は、受信機（又は対応するワイヤレスマイクロホン）を個別に認識するための番号である。
なお、ユーザ（マイクロホン使用者）が任意に設定した名称を、この番号として用いることもできる。
受信機領域６１における「８６４．５００」なる表示は、受信機（又は対応するワイヤレスマイクロホン）が使用する電波の周波数を「ＭＨｚ」単位で表示したものである。
受信機領域６１以外の受信機領域６２〜６８にも同様に、ＲＦレベル、電池の残量、ＶＵレベル、受信機（又は対応するワイヤレスマイクロホン）を個別に認識するための番号、周波数が表示されている。
図５は、ウインドウ７１における文字列領域６９の図である。文字列領域６９には、警告メッセージと、オペレータＡがキーボード２４ａで入力した文字列と、オペレータＢがキーボード２２ａで入力した文字列とが表示されている。
これらの文字列は、次の順番で表示されたものである。まず、コンピュータ２１〜２４がＬＡＮを介して受信機１１〜１８に対応するワイヤレスマイクロホンの電池の状態（残量）を知る。この残量が、あらかじめ決められた値以下であることをコンピュータ（アプリケーションプログラムＥ）が認識すると、警告メッセージを含む文字列領域６９がウインドウ７１上に表れる。文字列領域６９には、警告メッセージとして「Ｕｓｅｒ１のマイクロホンの電池が残量が不足しています。」と表示されている。
コンピュータ２４の近傍にいるオペレータＡは、表示装置２４ｂ上に表示されたこの警告メッセージを読み、オペレータＢに対して電池交換の指示を与えるべく、キーボード２４ａに「オペレータＢはＵｓｅｒ１のマイクロホンの電池を交換して下さい。」という文字列を打ち込む。すると、表示装置２４ｂの文字列領域にこの文字列が表示される。また、この文字列はＬＡＮを介してコンピュータ２１〜２３にも送られ、各コンピュータ２１〜２３の表示装置の文字列領域にもこの文字列が表示される。
表示装置２２ｂの文字列領域にもこの文字列が表示されるので、オペレータＢは、オペレータＡからの電池交換の指示を知ることができる。オペレータＢはこの文字列の指示に従い、Ｕｓｅｒ１のマイクロホンの電池を交換する。そしてキーボード２２ａに「Ｕｓｅｒ１のマイクロホンの電池を交換しました。」という文字列を打ち込む。すると、表示装置２２ｂの文字列領域６９にこの文字列が表示される。この文字列はＬＡＮを介してコンピュータ２１，２３，２４にも送られ、各コンピュータ２１，２３，２４の表示装置の文字列領域にもこの文字列が表示される。
オペレータＡは表示装置２４ｂ上のこの文字列を読み、オペレータＢが指示通りに電池を交換したことを確認することができる。
以上のように、表示装置２２ｂと表示装置２４ｂには、全く同一の表示がなされてゆく。よって、オペレータＡとオペレータＢとは、ワイヤレスマイクロホン用通信システム１の状態に関する情報を共有することができる。
このように、各コンピュータ２１〜２４の上で同一のアプリケーションプログラムＥが作動している。各コンピュータ２１〜２４は、ＬＡＮを介して、受信機１１〜１８からの情報を受け取っており、コンピュータ２２，２４からの文字列情報も受け取っている。よって、コンピュータ２１〜２４に接続された各表示装置には、全く同一の表示がなされてゆく。
あるコンピュータが遠隔地に設置されており、受信機１１〜１８と遠く離れている場合でも、そのコンピュータがＬＡＮで受信機１１〜１８と接続されている限り、オペレータはそのコンピュータによって受信機１１〜１８の状態を知ることができる。
ワイヤレスマイクロホン用通信システム１は、前述したとおり、テレビカメラ３０を備えており、このテレビカメラ３０はＬＡＮ上に接続されている。表示装置２２ｂ，２４ｂに、このテレビカメラ３０からの画像を、受信機１１〜１８からの情報と共に表示するようにしてもよい。また、コンピュータ２２，２４の記憶部に、テレビカメラ３０からの画像情報を記憶させるようにしてもよい。さらに、コンピュータ２２，２４の記憶部に、テレビカメラ３０からの画像情報と、受信機１１〜１８の情報に基づいた情報とを、を記憶させるようにしてもよい。
なお、警告メッセージは、電池残量に関するものだけではなく、種々のものが準備されている。例えばＲＦレベルが所定値以下である状態が所定時間以上持続すると、そのことを知られる警告メッセージが表れるようにしてもよい。要は、ワイヤレスマイクロホン用通信システム１の異常・故障を検知したときに、それに応じた警告メッセージを表示できればよいのである。
また、各オペレータが他のオペレータとコミュニケーションをとるために文字列をキーボードから入力するようにしているが、予め、いくつかのメッセージを準備しておき、各オペレータがこれらのメッセージから所望のメッセージを選択して、文字列領域６９に表示することができるようにしてもよい。
また、文字列の入力や選択に限らず、あるコンピュータに対してオペレータが行った何らかの入力が、当該コンピュータに接続された表示装置のみならず、他のコンピュータの表示装置にも反映させるようにしておけば、複数のオペレータがその情報を共有できる。よって、各オペレータ間で正確に意思伝達ができる。例えば、あるオペレータが表示装置の表示領域上で施したマーキング等が、すべてのコンピュータの表示装置上に表れるようにしてもよい。
警告メッセージやオペレータが入力した文字列を表示するための文字列領域が、異常を生じた受信機（又は、それに対応する送信機）の状態を表示するための受信機領域（又は送信機領域）と、何らかの関連を有するように表示装置２２ｂ上に表れるようにしてもよい。
例えば、複数の受信機領域の色が全て異なり、文字列による情報が関係する受信機に対応する受信機領域の色によって、この文字列の文字列領域が表示装置２２ｂ上に表示されるようにしてもよい。より具体的に説明すると、図３において、受信機領域６１〜６８の色が全て異なり、受信機領域６１の色が青色であり、文字列領域６９の文字列の情報が受信機１１の異常に関する情報である場合、文字列領域６９を青色によって表示装置２２ｂ上に表示してもよい。
また例えば、警告メッセージやオペレータが入力した文字列を表示するための文字列領域が、異常を生じた受信機（又は、それに対応する送信機）の状態を表示するための受信機領域（又は送信機領域）の近傍に現れるようにしてもよい。例えば、警告メッセージやオペレータが入力した文字列を表示するための文字列領域を、ポップアップ表示によって、異常を生じた受信機（又は、それに対応する送信機）の状態を表示するための受信機領域（又は送信機領域）の近傍に出現させても良い。このような構成によれば、各オペレータは、より直感的に異常状態を認識することができる。
また、異常を生じた受信機（又は対応する送信機）の状態を表示するための受信機領域（又は送信機領域）を、他の受信機（又は対応する送信機）の受信機領域（又は送信機領域）とは異なる表示形態で表示してもよい。例えば異なる色によって表示しても良い。さらにメッセージがその種類によって異なる色で表示されるようにすると、オペレータは、どのようなメッセージが表示されているのかを、視覚的に把握しやすくなる。さらに、メッセージの送り先を選択できるようにしてもよい。特定の相手のみを選択してメッセージを送るようにすれば、メッセージの錯綜を防止することができる。
次に、ワイヤレスマイクロホン用通信システム１によって、舞台上のどの位置がデッドポイントであるかを検出する方法を説明する。
図６は、テレビカメラ３０が設置された舞台８１の縦断面図である。前述したように、ワイヤレスマイクロホン用通信システム１はテレビカメラ３０を備えている。このテレビカメラ３０は、舞台８１の上方に設置されており、舞台８１の全体を上から撮像している。図６では、この舞台８１上に作業者Ｃが表れている。作業者Ｃはワイヤレスマイクロホンを携帯している。
図７は舞台８１の平面図である。舞台８１上には作業者Ｃが表われている。作業者Ｃは舞台８１上を、図７の矢印で示すような経路に従って移動する。このようにして、作業者Ｃは舞台８１上をくまなく歩き回る。
作業者Ｃが携帯するワイヤレスマイクロホンからの電波は、対応する受信機によって受信される。そしてこの受信機から、ＲＦレベルに関する情報が、ＬＡＮを介してコンピュータ２１に送られる。
図８は、このＲＦレベルの時間的な変化を示す図である。コンピュータ２１は、ＲＦレベルの情報を時間軸上で連続的に受け取りつつ、このＲＦレベルが所定レベル（スレッショルドレベル）以下であるか否かを判断している。図８中の「Ｓ」は、この所定レベル（スレッショルドレベル）を示す。図８を参照すると、時間ｔ１およびｔ２において、ＲＦレベルがレベルＳ以下となっている。図８のような図が、コンピュータ２１に接続された表示装置に表示されるようにしてもよい。
コンピュータ２１は、ＲＦレベルの情報を受け取りつつ、テレビカメラ３０からの画像情報も受信している。そして、ＲＦレベルが所定レベル（スレッショルドレベル）以下であると判断したとき、そのときの画像情報を記憶手段に記憶する。
図９はコンピュータ２１がテレビカメラ３０から受信した、時間ｔ１における画像である。時間ｔ１においてはＲＦレベルが所定レベル（スレッショルドレベル）以下であるから、この画像（図９の画像）は記憶手段に記憶される。同様に時間ｔ２における画像も記憶される。
ＲＦレベルが所定レベル以下となるときは、そのときの作業者Ｃの位置がワイヤレスマイクロホンのデッドポイントである可能性が高い。よって、後に、記憶された画像を見ることによって、舞台上のどの位置がデッドポイントであるかを知ることができる。
このようなデッドポイント検出方法によれば、一人の作業者だけで、正確にデッドポイントを検出することができる。
この実施例においては、コンピュータ２１の演算部が制御手段として機能し、コンピュータ２１のメモリが記憶手段として機能している。そして、制御手段たるコンピュータ２１の演算部が、ＲＦレベルが所定レベル以下であるか否かを判断し、さらに、検知したＲＦレベルが所定レベル以下であると判断した場合は、そのときのテレビカメラからの画像情報を、記憶手段たるコンピュータ２１のメモリに記憶させる。
コンピュータ２１は計時手段を有する。この計時手段からの時間情報を、テレビカメラ３０からの画像情報とともメモリに記憶させるようにしてもよい。
上記の例では、テレビカメラ３０はコンピュータ２１に接続されている。しかし、テレビカメラ３０が通信機能を備えるように構成することもでき、この場合は、コンピュータ２１を介在させることなく、テレビカメラ３０を直接的にＬＡＮに接続することもできる。
図１０は、ワイヤレスマイクロホン９１と受信機１１の概略構成を示すブロック図である。ワイヤレスマイクロホン９１は受信機１１に対応しており、ワイヤレスマイクロホン９１からの電波は受信機１１で受信される。このワイヤレスマイクロホン９１はラベリヤ型ワイヤレスマイクロホンであり、収音部９１ａと送信機９１ｂとに分かれている。ワイヤレスマイクロホン９１の送信機９１ｂは、赤外線インターフェース９１ｃと、制御部９１ｄと、機能調整部９１ｅと、記憶部（図示せず）とを備えている。機能調整部９１ｅは、ワイヤレスマイクロホン９１の各機能を調整する部分である。機能調整部９１ｅによって、例えばワイヤレスマイクロホン９１の周波数やゲイン等が調整される。記憶部には、ワイヤレスマイクロホン９１の設定状態に関する種々の情報が記憶されている。
ワイヤレスマイクロホン９１は赤外線インターフェース９１ｃを有する。また、このワイヤレスマイクロホン９１に対応する受信機１１も、赤外線インターフェース１１ｃを有する。受信機１１の赤外線インターフェース１１ｃからは、赤外線信号による情報が発信される。この情報は、コンピュータ２１〜２４のいずれかから受信機１１に向けて発せられたものである。受信機１１の赤外線インターフェース１１ｃからの情報は、ワイヤレスマイクロホン９１の赤外線インターフェース９１ｃで受信される。この情報が制御部９１ｄに送られ、制御部９１ｄはこの情報に従って、機能調整部９１ｅを制御する。受信機１１の赤外線インターフェース１１ｃからの情報の種類に応じて、送信機９１ｂはは種々の動作を行う。また、ワイヤレスマイクロホン９１の赤外線インターフェース９１ｃからも赤外線信号による情報を発信することができ、この情報を受信機１１の赤外線インターフェース１１ｃで受信することもできる。つまり、ワイヤレスマイクロホン９１の送信機９１ｂも受信機１１も、赤外線信号による情報を送信する情報送信機能と、赤外線信号による情報を受信する情報受信機能とを有する。情報を伝送する信号が赤外線信号であるため、ワイヤレスマイクロホン９１の電波と干渉することがない。つまり、この信号（赤外線信号）が、ワイヤレスマイクロホン９１の音声信号に、ノイズとして悪影響を与えることがない。
受信機１１の赤外線インターフェース１１ｃからの情報の種類に応じて、送信機９１ｂが種々の動作を行うことを先に述べた。以下に、受信機１１の赤外線インターフェース１１ｃからの種々の情報と、この情報に応じて送信機９１ｂがどのように動作するかを説明する。なお、送信機９１ｂは、制御部９１ｄによって機能調整部９１ｅが制御されることによって種々の動作を行う。
受信機１１の赤外線インターフェース１１ｃからの情報には、指令情報と、属性情報と、返信要求情報とがある。
受信機１１の赤外線インターフェース１１ｃからの情報が指令情報である場合は、指令情報を受け取った送信機９１ｂが、この指令情報に従って、ワイヤレスマイクロホンの機能を調整する。この指令情報には種々のものがある。
指令情報が送信機の音声信号の振幅周波数特性に関する情報である場合は、指令情報を受け取った送信機９１ｂが、この指令情報に従って、音声信号の振幅周波数特性を調整する。これにより、ワイヤレスマイクロホン９１から送出される音声信号の声質が調整される。
指令情報が送信機の音声信号のゲインに関する情報である場合は、指令情報を受け取った送信機９１ｂが、この指令情報に従って、音声信号に与えるゲインを調整する。これにより、ワイヤレスマイクロホン９１から送出される音声信号のレベルが調整される。
指令情報が送信機の搬送波の周波数に関する情報である場合は、指令情報を受け取った送信機９１ｂが、この指令情報に従って、搬送波の周波数を調整する。つまり、ワイヤレスマイクロホン９１からの電波の周波数が変更される。
指令情報が送信機の搬送波の出力レベルに関する情報である場合は、指令情報を受け取った送信機９１ｂが、この指令情報に従って、搬送波の出力レベルを調整する。この出力レベルが大きいほど、搬送波が遠隔にまで到達する。
指令情報が送信機の設定状態の変更の許否に関する情報である場合は、指令情報を受け取った送信機９１ｂが、この指令情報に従って、送信機９１ｂの操作部による設定状態変更を可能としたり、又は、不可能とする。つまり、ワイヤレスマイクロホン９１の使用者が操作部を操作してワイヤレスマイクロホン９１の設定状態を変更することを許可したり、ワイヤレスマイクロホン９１の使用者が操作部を操作しても設定状態の変更をすることができなくなるようにするのである。ワイヤレスマイクロホン９１の使用者が設定状態の変更をすることができなくなるようにするのは、使用者によってワイヤレスマイクロホン９１が誤操作されることを防止するためである。
指令情報が送信機のデビエーションに関する情報である場合は、指令情報を受け取った送信機９１ｂが、この指令情報に従って、デビエーションを調整する。デビエーションとは変調波の周波数偏倚のことである。
指令情報が送信機のパイロットトーンに関する情報である場合は、指令情報を受け取った送信機９１ｂが、この指令情報に従って、パイロットトーンの発信を開始又は停止させる。パイロットトーンとは、シンボル同期の確立のためなどに使用される信号のことである。
指令情報が送信機のディスプレイに関する情報である場合は、指令情報を受け取った送信機９１ｂが、この指令情報に従って、ディスプレイを作動状態に又は非作動状態にする。つまり、送信機９１ｂはディスプレイを備えており、このディスプレイに送信機９１ｂの設定状態などが表示されるのである。ディスプレイを作動状態にするとはディスプレイをＯＮ状態にすることであり、ディスプレイを非作動状態にするとはディスプレイをＯＦＦ状態にすることであり、
指令情報が送信機のコンパンダーに関する情報である場合は、指令情報を受け取った送信機９１ｂが、この指令情報に従って、コンパンダーの特性を調整する。つまり、コンパンダーのコンフィギュレーションを調整するのである。コンパンダーとは、音声信号を伸張及び圧縮するための装置である。コンパンダーは、ダイナミックレンジの拡大のため、および、ノイズの低減のために使用される。
指令情報が送信機のミュート機能に関する情報である場合は、指令情報を受け取った送信機９１ｂが、この指令情報に従って、ミュート機能を作動状態又は非作動状態にする。ミュート機能とは、音声信号を無音化する機能のことである。
受信機１１の赤外線インターフェース１１ｃからの情報が送信機の属性情報である場合は、属性情報を受け取った送信機９１ｂが、内部の記憶部に、受け取った属性情報を書き込む。属性情報には種々のものがある。
属性情報が、送信機が使用する電池の型に関する情報である場合は、属性情報を受け取った送信機９１ｂが、内部の記憶部に、受け取った属性情報に従った電池の型を書き込む。これにより、送信機９１ｂは、ワイヤレスマイクロホン９１が内蔵している電池の型を知ることができる。電池の型を送信機９１ｂに知らせるのは、次の理由による。つまり、電池の型によって、電池電圧と電力残量との関係が異なるからである。ワイヤレスマイクロホンの残り使用時間は、主に電池の電力残量によって定まる。送信機９１ｂは、電池電圧を測定して、ワイヤレスマイクロホン９１の残り使用時間をディスプレイに表示できるのであるが、電池の型を知っておかないと、正確な残り使用時間を表示することができない。そのために、電池の型を送信機９１ｂに知らせるのである。
属性情報が、送信機に付される番号又は名前に関する情報である場合は、属性情報を受け取った送信機９１ｂが、内部の記憶部に、受け取った属性情報に従った番号又は名前を書き込む。これにより、送信機９１ｂは、送信機９１ｂに付された番号又は名前を知ることができ、その番号又は名前をディスプレイに表示することもできる。ワイヤレスマイクロホン９１の使用者は、ディスプレイの表示により、自分が使用するワイヤレスマイクロホン９１の送信機９１ｂに付された番号又は名前を知ることができる。
ワイヤレスマイクロホンの赤外線インターフェース９１ｃと、受信機１１の赤外線インターフェース１１ｃとは、双方向通信機能を有する。よって、ワイヤレスマイクロホン９１が信号を受信したことや、受信機１１からの情報に従って送信機９１ｂが調整を適切に行ったことを、送信機９１ｂから受信機１１に返信情報を送ることによって受信機１１に知らせることができる。これにより、通信がより確実になる。
ワイヤレスマイクロホン９１の送信機９１ｂの赤外線インターフェース９１ｃから返信情報が発せられるのは、受信機１１の赤外線インターフェース１１ｃから返信要求情報の信号が発せらたときである。
受信機１１の赤外線インターフェース１１ｃから返信要求情報の信号が発せられ、送信機９１ｂがこの返信要求情報を受け取ると、送信機９１ｂはこの返信要求情報に従って、返信情報を赤外線信号によって受信機１１に送出する。
この返信要求情報には種々のものがあるが、例えば、返信要求情報が送信機の設定状態を知らせるように要求する情報である場合は、返信要求情報を受け取った送信機９１ｂが、この返信要求情報に従って、その設定状態に関する情報を返信情報として送出する。設定状態に関する情報とは、例えば、送信機９１ｂの音声信号の振幅周波数特性や、送信機９１ｂの音声信号に与えるゲインに関する情報などのことである。これらの情報は、ワイヤレスマイクロホン９１の送信機９１ｂの記憶部に記憶されている。送信機９１ｂに関するすべての設定状態の情報が受信機１１に送出されると、他の送信機の設定状態を、送信機９１ｂと全く同一となるように変更させることもできる。
図１１は、ワイヤレスマイクロホン９１と携帯情報端末（ＰＤＡ）９９の概略構成を示すブロック図である。赤外線信号による情報によって、ワイヤレスマイクロホン９１の機能を調整することができることを前述した。この情報は、受信機１１から発せられるものでなくてもよい。例えば、図１１のような携帯情報端末（ＰＤＡ）９９からのものであってもよい。図１１の携帯情報端末（ＰＤＡ）９９は赤外線インターフェース９９ｃを有しており、この赤外線インターフェース９９ｃから、赤外線信号による情報が発せられる。この情報は、ワイヤレスマイクロホン９１の赤外線インターフェース９１ｃで受信され、ワイヤレスマイクロホン９１の音声信号の周波数特性やゲイン等が調整される。
複数の演技者がそれぞれワイヤレスマイクロホンを携帯しているとき、ＰＤＡ９９を携えたオペレータが各演技者のワイヤレスマイクロホンに対して個々に機能調整をすることもできる。このように、ＰＤＡ９９を使用すると、該機能調整が容易になり有益である。
上記において、ワイヤレスマイクロホン９１の赤外線インターフェース９１ｃと、受信機１１の赤外線インターフェース１１ｃとは、双方向通信機能を有することを説明したが、本実施形態では、ＰＤＡ９９の赤外線インターフェース９９ｃも双方向通信機能を有する。よって、ワイヤレスマイクロホン９１とＰＤＡ９９との間でも、双方向通信を行うことが可能である。従って、ＰＤＡ９９からの赤外線信号をワイヤレスマイクロホン９１が受信したことや、ＰＤＡ９９からの情報に従ってワイヤレスマイクロホンの調整が適切になされたことを、ワイヤレスマイクロホン９１がＰＤＡ９９に返信情報を送ることによってＰＤＡ９９に知らせることができる。
また、受信機１１とＰＤＡ９９との間で通信ができるように構成してもよい。このような構成によれば、送信機の設定状態の情報を受信機１１からＰＤＡ９９に送ることができ、さらにＰＤＡ９９からワイヤレスマイクロホン（送信機）に送ることができる。つまり、まず受信機１１が、あたかもワイヤレスマイクロホン９１の送信機９１ｂとの間で赤外線通信を行うように、ＰＤＡ９９との間で赤外線通信を行うのである。これにより、前述した指令情報や、前述した属性情報などが、受信機１１からＰＤＡ９９に送出され、ＰＤＡ９９はこれらの情報を内部の記憶部に記憶する。次に、ＰＤＡ９９が、この記憶部に記憶した情報を、赤外線通信によってワイヤレスマイクロホン９１の送信機９１ｂに送出するのである。するとワイヤレスマイクロホン９１は、受信機１１からこれら情報を受信した場合と同じように、その設定状態を変更したり、受信した属性の情報を内部の記憶部に記憶したりするのである。
さらに、受信機１１が、ワイヤレスマイクロホンの設定状態を知らせるように要求する返信要求情報をＰＤＡ９９に対して送信すると、ＰＤＡ９９は、その内部の記憶部に記憶したワイヤレスマイクロホンの設定状態に関する情報を、返信情報として、受信機１１に対して送信する。
また、ＰＤＡ９９が返信要求情報をワイヤレスマイクロホン９１の送信機９１ｂに対して送信すると、ワイヤレスマイクロホン９１の送信機９１ｂは、この返信要求情報に応えて、ＰＤＡ９９に対して返信情報を送信する。ＰＤＡ９９は、この返信情報によって、ワイヤレスマイクロホン９１の設定状態、例えば、そのワイヤレスマイクロホン９１の音声信号のゲインなどを知ることができる。ＰＤＡ９９は、この情報に基づいて、ワイヤレスマイクロホンの送信機の設定状態を変更させるための指令情報等を、他のワイヤレスマイクロホンの送信機に送信することもできる。
さらに、２台のＰＤＡの間で、ワイヤレスマイクロホンに関する情報を、赤外線通信によって送受することもできる。つまり、２台のＰＤＡのうちの一台が、あたかもワイヤレスマイクロホンの送信機のように振る舞い、他の一台が、あたかも受信機のように振る舞うのである。これにより、ワイヤレスマイクロホンに関する情報が、２台のＰＤＡの間で送受される。
上記において、ある送信機に関するすべての設定状態の情報が受信機１１に送出されると、他の送信機の設定状態を、もとの送信機と全く同一となるように変更することができるということを説明した。受信機１１とＰＤＡ９９との間で通信ができるように構成すると、次のような操作によって、ある送信機と他の送信機とを同一の設定状態にすることもできる。まず、受信機から、送信機の設定状態に関する返信要求情報を、対応する送信機（第１送信機）に送出する。すると、その送信機（第１送信機）は、その設定状態に関する情報を、その受信機に送出する。次に、ＰＤＡとその受信機との間の通信によって、受信機がその送信機（第１送信機）の設定状態の情報をＰＤＡに知らせる。次に、そのＰＤＡから他の送信機（第２送信機）に対して指令情報を送出して、その送信機（第２送信機）の設定状態をもとの送信機（第１送信機）と同一にするのである。
なお、ＰＤＡとして専用リモコン装置又は汎用リモコン装置を用いると、ワイヤレスマイクロホン用通信システムをより安価に構成することができる。
次に、ワイヤレスマイクロホンの送信機からの電波を受信する受信機が、ＬＡＮインターフェースを有する制御装置を介してＬＡＮに接続された、ワイヤレスマイクロホン用通信システムを説明する。図１２は、かかるワイヤレスマイクロホン用通信システム１０１の概略構成図である。
このワイヤレスマイクロホン用通信システム１０１は、図１のワイヤレスマイクロホン用通信システム１と同様に、コンピュータ２１，２２，２３，２４を有する。図１２のコンピュータ２１，２２，２３，２４は、図１のコンピュータ２１，２２，２３，２４と同様の機能を有する。
このワイヤレスマイクロホン用通信システム１０１が、図１のワイヤレスマイクロホン用通信システム１と相違する点は、次の点である。つまり、図１のマイクロホン用通信システム１においては、受信機１１〜１８がＬＡＮインターフェースを有しており、制御装置を介することなく、ＨＵＢ４２に接続されているのに対し、図１２のマイクロホン用通信システム１０１においては、受信機１１〜１８が、ＬＡＮインターフェースを有する制御装置１１１〜１１８を介して、ＨＵＢ４２に接続される点である。この制御装置１１１〜１１８が、コンピュータによって構成されていてもよい。
各制御装置１１１〜１１８には、コンピュータ２１〜２４と同様に、入力装置たるキーボード１１１ａ〜１１８ａと、表示装置１１１ｂ〜１１８ｂとが接続されている。
制御装置１１１〜１１８の各々は、ＬＡＮ（ＨＵＢ）を介して、受信機を接続した他の制御装置からの情報を受け取っている。制御装置からの情報とは、ＲＦレベル（受信電界強度）、オーディオ出力レベル（ＶＵレベル）などである。また、各受信機に対応するワイヤレスマイクロホンから、該ワイヤレスマイクロホンの電池の残量の情報が受信機に送出されており、各制御装置は他の制御装置からこの電池の残量に関する情報も受け取っている。表示装置１１１ｂ〜１１８ｂには、これらの情報が表示される。つまり、各制御装置１１１〜１１８は、コンピュータ２１〜２４と同様の機能を有するのである。
図１２のワイヤレスマイクロホン用通信システム１０１の制御装置１１１〜１１８も、オペレータによって操作される。
図１２のワイヤレスマイクロホン用通信システム１０１の制御装置１１１〜１１８によっても、複数のオペレータがワイヤレスマイクロホンによる通信システムの状態を等しく把握することができる。
次に、ワイヤレスマイクロホンの送信機からの電波を受信する受信機が、ＬＡＮインターフェースを有する制御装置を介してＬＡＮに接続された、もう一つのワイヤレスマイクロホン用通信システムを説明する。
図１２には、ワイヤレスマイクロホンの送信機からの電波を受信する受信機１１〜１８が接続された制御装置１１１〜１１８と、受信機が接続されない制御装置２１，２２，２３，２４とがＬＡＮで接続された、ワイヤレスマイクロホン用通信システム１０１が示されている。
この図１２のワイヤレスマイクロホン用通信システム１０１から、受信機が接続されない制御装置（コンピュータ）２１，２２，２３，２４およびその周辺装置２１ａ，２１ｂ，２２ａ，２２ｂ，２３ａ，２３ｂ，２４ａ，２４ｂを省くこともできる。そうすると、ワイヤレスマイクロホンの送信機からの電波を受信する受信機１１〜１８が接続された複数台（８台）の制御装置（コンピュータ）１１１〜１１８がＬＡＮで接続された、ワイヤレスマイクロホン用通信システムが構成される。図１２では、８台の制御装置（コンピュータ）１１１〜１１８が、共通のＨＵＢ４２に接続されているが、各制御装置（コンピュータ）１１１〜１１８毎にＨＵＢを設け、これらＨＵＢがイーサネット５０に接続されるようにしてもよい。複数台の制御装置（コンピュータ）１１１〜１１８が互いに離隔して設置されるような場合は、各制御装置１１１〜１１８が、それぞれ対応するオペレータによって操作されてもよい。これら複数のオペレータは、このワイヤレスマイクロホンによる通信システムの状態を等しく把握することができる。
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
［産業上の利用の可能性］
本願発明によれば、複数のオペレータがワイヤレスマイクロホンによる通信システムの状態を等しく把握することができ、即時に設定等を変更することができる。よって、ワイヤレスマイクロホン用通信システムに関する分野に利用できる。
【図１】
2005006806.tif 000003
【図２】
2005006806.tif 000004
【図３】
2005006806.tif 000005
【図４】
2005006806.tif 000006
【図５】
2005006806.tif 000007
【図６】
2005006806.tif 000008
【図７】
2005006806.tif 000009
【図８】
2005006806.tif 000010
【図９】
2005006806.tif 000011
【図１０】
2005006806.tif 000012
【図１１】
2005006806.tif 000013
【図１２】
2005006806.tif 000014
【手続補正書】
【提出日】平成17年5月10日(2005.5.10)
【手続補正１】
【補正対象書類名】特許請求の範囲
【補正対象項目名】全文
【補正方法】変更
【補正の内容】
【書類名】請求の範囲
【請求項１】ＬＡＮインターフェースを有する一台以上の制御装置と、
ＬＡＮインターフェースを有しワイヤレスマイクロホンの送信機からの電波を受信する一台以上の受信機と、を備えたワイヤレスマイクロホン用通信システムであって、
該一台以上の受信機と該一台以上の制御装置とがＬＡＮ上で接続され、
各制御装置には、それぞれ対応する表示装置が接続され、
各制御装置は、ＬＡＮを介して、該一台以上の受信機から該受信機の情報を受け取り、
各制御装置は、受け取った受信機の情報を、対応する表示装置に表示させ、
各制御装置にはそれぞれ対応する入力装置が接続され、
各制御装置は、対応する入力装置から文字列情報を受け取り、該文字列情報を、ＬＡＮを介して他の制御装置に送出し、
各制御装置は、対応する入力装置から入力された文字列情報と他の制御装置からの文字列情報とを、受信機の情報とともに、対応する表示装置に表示させる、ワイヤレスマイクロホン用通信システム。
【請求項２】ＬＡＮインターフェースを有し、ワイヤレスマイクロホンの送信機からの電波を受信する受信機が接続された、一台以上の制御装置と、
ＬＡＮインターフェースを有し、受信機が接続されない一台以上の制御装置と、を備えたワイヤレスマイクロホン用通信システムであって、
全ての該制御装置がＬＡＮ上で接続され、
各制御装置には、それぞれ対応する表示装置が接続され、
各制御装置は、ＬＡＮを介して、他の制御装置に接続されている受信機の情報を、該受信機が接続されている制御装置から受け取り、
受信機が接続されない各制御装置は、ＬＡＮを介して受け取った受信機の情報を、対応する表示装置に表示させ、
受信機が接続された各制御装置は、対応する受信機からの情報と、ＬＡＮを介して受け取った受信機の情報とを、対応する表示装置に表示させ、
各制御装置にはそれぞれ対応する入力装置が接続され、
各制御装置は、対応する入力装置から文字列情報を受け取り、該文字列情報を、ＬＡＮを介して他の制御装置に送出し、
各制御装置は、対応する入力装置から入力された文字列情報と他の制御装置からの文字列情報とを、受信機の情報とともに、対応する表示装置に表示させる、ワイヤレスマイクロホン用通信システム。
【請求項３】ＬＡＮインターフェースを有し、ワイヤレスマイクロホンの送信機からの電波を受信する受信機が接続された、複数台の制御装置を備えたワイヤレスマイクロホン用通信システムであって、
全ての該制御装置がＬＡＮ上で接続され、
各制御装置には、それぞれ対応する表示装置が接続され、
各制御装置は、ＬＡＮを介して、他の制御装置に接続されている受信機の情報を、該受信機が接続されている制御装置から受け取り、
各制御装置は、対応する受信機からの情報と、ＬＡＮを介して受け取った受信機の情報とを、対応する表示装置に表示させ、
各制御装置にはそれぞれ対応する入力装置が接続され、
各制御装置は、対応する入力装置から文字列情報を受け取り、該文字列情報を、ＬＡＮを介して他の制御装置に送出し、
各制御装置は、対応する入力装置から入力された文字列情報と他の制御装置からの文字列情報とを、受信機の情報とともに、対応する表示装置に表示させる、ワイヤレスマイクロホン用通信システム。
【請求項４】各制御装置は、受け取った受信機の情報に基づいて警告メッセージを作成し、該警告メッセージを対応する表示装置に表示させる、請求項１乃至３のいずれか一の項に記載のワイヤレスマイクロホン用通信システム。
【請求項５】（削除）
【請求項６】該文字列情報の表示が、該表示装置上の複数の受信機の情報の表示の内の一の表示と関連し、
該文字列情報が、該複数の受信機の情報の表示の内の該一の表示に対応する受信機に関係する情報である、請求項１乃至４のいずれか一の項に記載のワイヤレスマイクロホン用通信システム。
【請求項７】該文字列情報の表示の色が、該複数の受信機の情報の表示の内の該一の表示の色と同一である、請求項６記載のワイヤレスマイクロホン用通信システム。
【請求項８】該文字列情報の表示が、該表示装置上において、該複数の受信機の情報の表示の内の該一の表示の近傍に位置する、請求項６記載のワイヤレスマイクロホン用通信システム。
【請求項９】各受信機が、いずれかの制御装置からの制御信号を受け取り、該制御信号に従って、その設定状態を変更させる、請求項１乃至４、６乃至８のいずれか一の項に記載のワイヤレスマイクロホン用通信システム。
【請求項１０】該制御装置がコンピュータによって構成される、請求項１乃至４、６乃至９のいずれか一の項に記載のワイヤレスマイクロホン用通信システム。
【請求項１１】各コンピュータ上で作動する一のアプリケーションプログラムが、対応する入力装置から入力された文字列情報と他のコンピュータからの文字列情報とを、受信機からの情報とともに、対応する表示装置において一のウインドウ上に表示させる、請求項１０記載のワイヤレスマイクロホン用通信システム。
【請求項１２】テレビカメラを備え、
該テレビカメラが前記ＬＡＮ上に接続され、
該テレビカメラからの画像が、各制御装置の表示装置に、受信機の情報と共に表示される、請求項１乃至４、６乃至１１のいずれか一の項に記載のワイヤレスマイクロホン用通信システム。
【請求項１３】（削除）
【請求項１４】（削除）
【請求項１５】（削除）
【請求項１６】（削除）
【請求項１７】ＬＡＮインターフェースを有する一台以上の制御装置と、
ＬＡＮインターフェースを有しワイヤレスマイクロホンの送信機からの電波を受信する一台以上の受信機と、を備えたワイヤレスマイクロホン用通信システムであって、
該一台以上の受信機と該一台以上の制御装置とがＬＡＮ上で接続され、
各制御装置には、それぞれ対応する表示装置が接続され、
各制御装置は、ＬＡＮを介して、該一台以上の受信機から該受信機の情報を受け取り、
各制御装置は、受け取った受信機の情報を、対応する表示装置に表示させ、
テレビカメラを備え、
該テレビカメラが前記ＬＡＮ上に接続され、
該テレビカメラからの画像が、各制御装置の表示装置に、受信機の情報と共に表示され、
少なくとも一の制御装置に記憶手段が接続され、該制御装置は、該テレビカメラからの画像情報と、受信機の情報に基づいた情報とを、該記憶手段に記憶させる、ワイヤレスマイクロホン用通信システム。
【請求項１８】ＬＡＮインターフェースを有し、ワイヤレスマイクロホンの送信機からの電波を受信する受信機が接続された、一台以上の制御装置と、
ＬＡＮインターフェースを有し、受信機が接続されない一台以上の制御装置と、を備えたワイヤレスマイクロホン用通信システムであって、
全ての該制御装置がＬＡＮ上で接続され、
各制御装置には、それぞれ対応する表示装置が接続され、
各制御装置は、ＬＡＮを介して、他の制御装置に接続されている受信機の情報を、該受信機が接続されている制御装置から受け取り、
受信機が接続されない各制御装置は、ＬＡＮを介して受け取った受信機の情報を、対応する表示装置に表示させ、
受信機が接続された各制御装置は、対応する受信機からの情報と、ＬＡＮを介して受け取った受信機の情報とを、対応する表示装置に表示させ、
テレビカメラを備え、
該テレビカメラが前記ＬＡＮ上に接続され、
該テレビカメラからの画像が、各制御装置の表示装置に、受信機の情報と共に表示され、
少なくとも一の制御装置に記憶手段が接続され、該制御装置は、該テレビカメラからの画像情報と、受信機の情報に基づいた情報とを、該記憶手段に記憶させる、ワイヤレスマイクロホン用通信システム。
【請求項１９】ＬＡＮインターフェースを有し、ワイヤレスマイクロホンの送信機からの電波を受信する受信機が接続された、複数台の制御装置を備えたワイヤレスマイクロホン用通信システムであって、
全ての該制御装置がＬＡＮ上で接続され、
各制御装置には、それぞれ対応する表示装置が接続され、
各制御装置は、ＬＡＮを介して、他の制御装置に接続されている受信機の情報を、該受信機が接続されている制御装置から受け取り、
各制御装置は、対応する受信機からの情報と、ＬＡＮを介して受け取った受信機の情報とを、対応する表示装置に表示させ、
テレビカメラを備え、
該テレビカメラが前記ＬＡＮ上に接続され、
該テレビカメラからの画像が、各制御装置の表示装置に、受信機の情報と共に表示され、
少なくとも一の制御装置に記憶手段が接続され、該制御装置は、該テレビカメラからの画像情報と、受信機の情報に基づいた情報とを、該記憶手段に記憶させる、ワイヤレスマイクロホン用通信システム。
【請求項２０】ＬＡＮインターフェースを有する一台以上の制御装置と、
ＬＡＮインターフェースを有しワイヤレスマイクロホンの送信機からの電波を受信する一台以上の受信機と、を備えたワイヤレスマイクロホン用通信システムであって、
該一台以上の受信機と該一台以上の制御装置とがＬＡＮ上で接続され、
各制御装置には、それぞれ対応する表示装置が接続され、
各制御装置は、ＬＡＮを介して、該一台以上の受信機から該受信機の情報を受け取り、
各制御装置は、受け取った受信機の情報を、対応する表示装置に表示させ、
テレビカメラと記憶手段とを備え、
該制御装置のうちの少なくとも一の制御装置は、該テレビカメラからの画像情報を受信し、
該画像情報を受信する制御装置は、ＬＡＮを介して、該受信機からＲＦレベルの情報を連続的に検知し、
該画像情報を受信する制御装置は、検知したＲＦレベルが所定レベル以下であるか否かを判断し、検知したＲＦレベルが所定レベル以下であると判断したときの該テレビカメラからの画像情報を該記憶手段に記憶する、ワイヤレスマイクロホン用通信システム。
【請求項２１】ＬＡＮインターフェースを有し、ワイヤレスマイクロホンの送信機からの電波を受信する受信機が接続された、一台以上の制御装置と、
ＬＡＮインターフェースを有し、受信機が接続されない一台以上の制御装置と、を備えたワイヤレスマイクロホン用通信システムであって、
全ての該制御装置がＬＡＮ上で接続され、
各制御装置には、それぞれ対応する表示装置が接続され、
各制御装置は、ＬＡＮを介して、他の制御装置に接続されている受信機の情報を、該受信機が接続されている制御装置から受け取り、
受信機が接続されない各制御装置は、ＬＡＮを介して受け取った受信機の情報を、対応する表示装置に表示させ、
受信機が接続された各制御装置は、対応する受信機からの情報と、ＬＡＮを介して受け取った受信機の情報とを、対応する表示装置に表示させ、
テレビカメラと記憶手段とを備え、
該制御装置のうちの少なくとも一の制御装置は、該テレビカメラからの画像情報を受信し、
該画像情報を受信する制御装置は、ＬＡＮを介して、該受信機からＲＦレベルの情報を連続的に検知し、
該画像情報を受信する制御装置は、検知したＲＦレベルが所定レベル以下であるか否かを判断し、検知したＲＦレベルが所定レベル以下であると判断したときの該テレビカメラからの画像情報を該記憶手段に記憶する、ワイヤレスマイクロホン用通信システム。
【請求項２２】ＬＡＮインターフェースを有し、ワイヤレスマイクロホンの送信機からの電波を受信する受信機が接続された、複数台の制御装置を備えたワイヤレスマイクロホン用通信システムであって、
全ての該制御装置がＬＡＮ上で接続され、
各制御装置には、それぞれ対応する表示装置が接続され、
各制御装置は、ＬＡＮを介して、他の制御装置に接続されている受信機の情報を、該受信機が接続されている制御装置から受け取り、
各制御装置は、対応する受信機からの情報と、ＬＡＮを介して受け取った受信機の情報とを、対応する表示装置に表示させ、
テレビカメラと記憶手段とを備え、
該制御装置のうちの少なくとも一の制御装置は、該テレビカメラからの画像情報を受信し、
該画像情報を受信する制御装置は、ＬＡＮを介して、該受信機からＲＦレベルの情報を連続的に検知し、
該画像情報を受信する制御装置は、検知したＲＦレベルが所定レベル以下であるか否かを判断し、検知したＲＦレベルが所定レベル以下であると判断したときの該テレビカメラからの画像情報を該記憶手段に記憶する、ワイヤレスマイクロホン用通信システム。
【請求項２３】計時手段を備え、
該画像情報を受信する制御装置は該計時手段からの時間情報とを受信し、
該画像情報を受信する制御装置は、検知したＲＦレベルが所定レベル以下であると判断したときの該テレビカメラからの画像情報を該計時手段からの時間情報と共に該記憶手段に記憶する、請求項２０乃至２２のいずれか一の項に記載のワイヤレスマイクロホン用通信システム。
【請求項２４】該画像情報を受信する制御装置は、ＬＡＮを介して、該受信機からＲＦレベルの情報を連続的に検知する、請求項２０乃至２３のいずれか一の項に記載のワイヤレスマイクロホン用通信システム。


【手続補正２】
【補正対象書類名】明細書
【補正対象項目名】０００２
【補正方法】変更
【補正の内容】
【０００２】
ンによる通信システムの状態を等しく把握することが困難であることから生ずる問題である。
また、上述したオペレータ間の指示において、音声によるコミュニケーションを行う場合、例えば、上演中などは大きな声を出せないといった問題も生ずる。さらに指示を出した者がだれなのかを正確に判断することが難しいといった問題もある。
さらに、インターカムシステムが無線方式のものである場合には、ワイヤレスマイクロホンシステムとの干渉が生ずる場合もある。
さらに、舞台で使用されるワイヤレスマイクロホンの送信機は、例えば、演技者の衣装の中に埋め込まれて使用されることがある。上述したような保守や初期設定などの際には、その都度、ワイヤレスマイクロホンの送信機にある操作部を操作するために衣装からワイヤレスマイクロホンを取り出さなければならず、保守や初期設定が困難な場合が多い。
なお、舞台装置のワイヤレス操作システムに関する文献（例えば、日本国特許出願公開２００２−１１９７７４号公報参照）もあるが、そこに記載されたシステムは上記の問題を解決できるようなものではない。
［発明の開示］
本願発明は上記問題点に鑑み、複数のオペレータがワイヤレスマイクロホンによる通信システムの状態を等しく把握することができるようなワイヤレスマイクロホン用通信システムを提供することを目的とする。
上記課題を解決するために、本願発明のワイヤレスマイクロホン用通信システムは、ＬＡＮインターフェースを有する一台以上の制御装置と、ＬＡＮインターフェースを有しワイヤレスマイクロホンの送信機からの電波を受信する一台以上の受信機と、を備えたワイヤレスマイクロホン用通信システムであって、該一台以上の受信機と該一台以上の制御装置とがＬＡＮ上で接続され、各制御装置には、それぞれ対応する表示装置が接続され、各制御装置は、ＬＡＮを介して、該一台以上の受信機から該受信機の情報を受け取り、各制御装置は、受け取った受信機の情報を、対応する表示装置に表示させ、各制御装置にはそれぞれ対応する入力装置が接続され、各制御装置は、対応する入力装置から文字列情報を受け取り、該文字列情報を、ＬＡＮを介して他の制御装置に送出し、各制御装置は、対応する入力装置から入力された文字列情報と他の制御装置からの文字列情報とを、受信機の情報とともに、対応する表示装置に表示させる。


【手続補正３】
【補正対象書類名】明細書
【補正対象項目名】０００３
【補正方法】変更
【補正の内容】
【０００３】
また、上記課題を解決するために、本願発明のもう一つのワイヤレスマイクロホン用通信システムは、ＬＡＮインターフェースを有し、ワイヤレスマイクロホンの送信機からの電波を受信する受信機が接続された、一台以上の制御装置と、ＬＡＮインターフェースを有し、受信機が接続されない一台以上の制御装置と、を備えたワイヤレスマイクロホン用通信システムであって、全ての該制御装置がＬＡＮ上で接続され、各制御装置には、それぞれ対応する表示装置が接続され、各制御装置は、ＬＡＮを介して、他の制御装置に接続されている受信機の情報を、該受信機が接続されている制御装置から受け取り、受信機が接続されない各制御装置は、ＬＡＮを介して受け取った受信機の情報を、対応する表示装置に表示させ、受信機が接続された各制御装置は、対応する受信機からの情報と、ＬＡＮを介して受け取った受信機の情報とを、対応する表示装置に表示させ、各制御装置にはそれぞれ対応する入力装置が接続され、各制御装置は、対応する入力装置から文字列情報を受け取り、該文字列情報を、ＬＡＮを介して他の制御装置に送出し、各制御装置は、対応する入力装置から入力された文字列情報と他の制御装置からの文字列情報とを、受信機の情報とともに、対応する表示装置に表示させる。
また、上記課題を解決するために、本願発明のさらにもう一つのワイヤレスマイクロホン用通信システムは、ＬＡＮインターフェースを有し、ワイヤレスマイクロホンの送信機からの電波を受信する受信機が接続された、複数台の制御装置を備えたワイヤレスマイクロホン用通信システムであって、全ての該制御装置がＬＡＮ上で接続され、各制御装置には、それぞれ対応する表示装置が接続され、各制御装置は、ＬＡＮを介して、他の制御装置に接続されている受信機の情報を、該受信機が接続されている制御装置から受け取り、各制御装置は、対応する受信機からの情報と、ＬＡＮを介して受け取った受信機の情報とを、対応する表示装置に表示させ、各制御装置にはそれぞれ対応する入力装置が接続され、各制御装置は、対応する入力装置から文字列情報を受け取り、該文字列情報を、ＬＡＮを介して他の制御装置に送出し、各制御装置は、対応する入力装置から入力された文字列情報と他の制御装置からの文字列情報とを、受信機の情報とともに、対応する表示装置に表示させる。
かかるワイヤレスマイクロホン用通信システムによれば、複数のオペレータがワイヤレスマイクロホンによる通信システムの状態を等しく把握することができ、即時に設定等を変更することができる。
また、上記のワイヤレスマイクロホン用通信システムにおいて、各制御装置は、受け取った受信機の情報に基づいて警告メッセージを作成し、該警告メッセージを対応する表示装置に表示させるようにしてもよい。


【手続補正４】
【補正対象書類名】明細書
【補正対象項目名】０００４
【補正方法】変更
【補正の内容】
【０００４】
また、上記のワイヤレスマイクロホン用通信システムにおいて、該文字列情報の表示が、該表示装置上の複数の受信機の情報の表示の内の一の表示と関連し、該文字列情報が、該複数の受信機の情報の表示の内の該一の表示に対応する受信機に関係する情報であってもよい。
また、上記のワイヤレスマイクロホン用通信システムにおいて、該文字列情報の表示の色が、該複数の受信機の情報の表示の内の該一の表示の色と同一であってもよい。
また、上記のワイヤレスマイクロホン用通信システムにおいて、該文字列情報の表示が、該表示装置上において、該複数の受信機の情報の表示の内の該一の表示の近傍に位置してもよい。
また、上記のワイヤレスマイクロホン用通信システムにおいて、各受信機が、いずれかの制御装置からの制御信号を受け取り、該制御信号に従って、その設定状態を変更させるようにしてもよい。
また、上記のワイヤレスマイクロホン用通信システムにおいて、該制御装置がコンピュータによって構成されてもよい。
また、上記のワイヤレスマイクロホン用通信システムにおいて、各コンピュータ上で作動する一のアプリケーションプログラムが、対応する入力装置から入力された文字列情報と他のコンピュータからの文字列情報とを、受信機からの情報とともに、対応する表示装置において一のウインドウ上に表示させるようにしてもよい。
また、上記のワイヤレスマイクロホン用通信システムにおいて、テレビカメラを備え、該テレビカメラが前記ＬＡＮ上に接続され、該テレビカメラからの画像が、各制御装置の表示装置に、受信機の情報と共に表示されるようにしてもよい。


【手続補正５】
【補正対象書類名】明細書
【補正対象項目名】０００５
【補正方法】変更
【補正の内容】
【０００５】
また、上記課題を解決するために、本願発明のさらにもう一つのワイヤレスマイクロホン用通信システムは、ＬＡＮインターフェースを有する一台以上の制御装置と、ＬＡＮインターフェースを有しワイヤレスマイクロホンの送信機からの電波を受信する一台以上の受信機と、を備えたワイヤレスマイクロホン用通信システムであって、該一台以上の受信機と該一台以上の制御装置とがＬＡＮ上で接続され、各制御装置には、それぞれ対応する表示装置が接続され、各制御装置は、ＬＡＮを介して、該一台以上の受信機から該受信機の情報を受け取り、各制御装置は、受け取った受信機の情報を、対応する表示装置に表示させ、テレビカメラを備え、該テレビカメラが前記ＬＡＮ上に接続され、該テレビカメラからの画像が、各制御装置の表示装置に、受信機の情報と共に表示され、少なくとも一の制御装置に記憶手段が接続され、該制御装置は、該テレビカメラからの画像情報と、受信機の情報に基づいた情報とを、該記憶手段に記憶させる。
また、上記課題を解決するために、本願発明のさらにもう一つのワイヤレスマイクロホン用通信システムは、ＬＡＮインターフェースを有し、ワイヤレスマイクロホンの送信機からの電波を受信する受信機が接続された、一台以上の制御装置と、ＬＡＮインターフェースを有し、受信機が接続されない一台以上の制御装置と、を備えたワイヤレスマイクロホン用通信システムであって、全ての該制御装置がＬＡＮ上で接続され、各制御装置には、それぞれ対応する表示装置が接続され、各制御装置は、ＬＡＮを介して、他の制御装置に接続されている受信機の情報を、該受信機が接続されている制御装置から受け取り、受信機が接続されない各制御装置は、ＬＡＮを介して受け取った受信機の情報を、対応する表示装置に表示させ、受信機が接続された各制御装置は、対応する受信機からの情報と、ＬＡＮを介して受け取った受信機の情報とを、対応する表示装置に表示させ、テレビカメラを備え、該テレビカメラが前記ＬＡＮ上に接続され、該テレビカメラからの画像が、各制御装置の表示装置に、受信機の情報と共に表示され、少なくとも一の制御装置に記憶手段が接続され、該制御装置は、該テレビカメラからの画像情報と、受信機の情報に基づいた情報とを、該記憶手段に記憶させる。
また、上記課題を解決するために、本願発明のさらにもう一つのワイヤレスマイクロホン用通信システムは、ＬＡＮインターフェースを有し、ワイヤレスマイクロホンの送信機からの電波を受信する受信機が接続された、複数台の制御装置を備えたワイヤレスマイクロホン用通信システムであって、全ての該制御装置がＬＡＮ上で接続され、各制御装置には、それぞれ対応する表示装置が接続され、各制御装置は、ＬＡＮを介して、他の制御装置に接続されている受信機の情報を、該受信機が接続されている制御装置から受け取り、各制御装置は、対応する受信機からの情報と、ＬＡＮを介して受け取った受信機の情報とを、対応する表示装置に表示させ、テレビカメラを備え、該テレビカメラが前記ＬＡＮ上に接続され、該テレビカメラからの画像が、各制御装置の表示装置に、受信機の情報と共に表示され、少なくとも一の制御装置に記憶手段が接続され、該制御装置は、該テレビカメラからの画像情報と、受信機の情報に基づいた情報とを、該記憶手段に記憶させる。
また、上記課題を解決するために、本願発明のさらにもう一つのワイヤレスマイクロホン用通信システムは、ＬＡＮインターフェースを有する一台以上の制御装置と、ＬＡＮインターフェースを有しワイヤレスマイクロホンの送信機からの電波を受信する一台以上の受信機と、を備えたワイヤレスマイクロホン用通信システムであって、該一台以上の受信機と該一台以上の制御装置とがＬＡＮ上で接続され、各制御装置には、それぞれ対応する表示装置が接続され、各制御装置は、ＬＡＮを介して、該一台以上の受信機から該受信機の情報を受け取り、各制御装置は、受け取った受信機の情報を、対応する表示装置に表示させ、テレビカメラと記憶手段とを備え、該制御装置のうちの少なくとも一の制御装置は、該テレビカメラからの画像情報を受信し、該画像情報を受信する制御装置は、ＬＡＮを介して、該受信機からＲＦレベルの情報を連続的に検知し、該画像情報を受信する制御装置は、検知したＲＦレベルが所定レベル以下であるか否かを判断し、検知したＲＦレベルが所定レベル以下であると判断したときの該テレビカメラからの画像情報を該記憶手段に記憶する。
また、上記課題を解決するために、本願発明のさらにもう一つのワイヤレスマイクロホン用通信システムは、ＬＡＮインターフェースを有し、ワイヤレスマイクロホンの送信機からの電波を受信する受信機が接続された、一台以上の制御装置と、ＬＡＮインターフェースを有し、受信機が接続されない一台以上の制御装置と、を備えたワイヤレスマイクロホン用通信システムであって、全ての該制御装置がＬＡＮ上で接続され、各制御装置には、それぞれ対応する表示装置が接続され、各制御装置は、ＬＡＮを介して、他の制御装置に接続されている受信機の情報を、該受信機が接続されている制御装置から受け取り、受信機が接続されない各制御装置は、ＬＡＮを介して受け取った受信機の情報を、対応する表示装置に表示させ、受信機が接続された各制御装置は、対応する受信機からの情報と、ＬＡＮを介して受け取った受信機の情報とを、対応する表示装置に表示させ、テレビカメラと記憶手段とを備え、該制御装置のうちの少なくとも一の制御装置は、該テレビカメラからの画像情報を受信し、該画像情報を受信する制御装置は、ＬＡＮを介して、該受信機からＲＦレベルの情報を連続的に検知し、該画像情報を受信する制御装置は、検知したＲＦレベルが所定レベル以下であるか否かを判断し、検知したＲＦレベルが所定レベル以下であると判断したときの該テレビカメラからの画像情報を該記憶手段に記憶する。
また、上記課題を解決するために、本願発明のさらにもう一つのワイヤレスマイクロホン用通信システムは、ＬＡＮインターフェースを有し、ワイヤレスマイクロホンの送信機からの電波を受信する受信機が接続された、複数台の制御装置を備えたワイヤレスマイクロホン用通信システムであって、全ての該制御装置がＬＡＮ上で接続され、各制御装置には、それぞれ対応する表示装置が接続され、各制御装置は、ＬＡＮを介して、他の制御装置に接続されている受信機の情報を、該受信機が接続されている制御装置から受け取り、各制御装置は、対応する受信機からの情報と、ＬＡＮを介して受け取った受信機の情報とを、対応する表示装置に表示させ、テレビカメラと記憶手段とを備え、該制御装置のうちの少なくとも一の制御装置は、該テレビカメラからの画像情報を受信し、該画像情報を受信する制御装置は、ＬＡＮを介して、該受信機からＲＦレベルの情報を連続的に検知し、該画像情報を受信する制御装置は、検知したＲＦレベルが所定レベル以下であるか否かを判断し、検知したＲＦレベルが所定レベル以下であると判断したときの該テレビカメラからの画像情報を該記憶手段に記憶する。
また、ワイヤレスマイクロホン用通信システムにおいて、計時手段を備え、該画像情報を受信する制御装置は該計時手段からの時間情報とを受信し、該画像情報を受信する制御装置は、検知したＲＦレベルが所定レベル以下であると判断したときの該テレビカメラからの画像情報を該計時手段からの時間情報と共に該記憶手段に記憶するようにしてもよい。
また、ワイヤレスマイクロホン用通信システムにおいて、該画像情報を受信する制御装置は、ＬＡＮを介して、該受信機からＲＦレベルの情報を連続的に検知するようにしてもよい。
本発明の上記目的、他の的、特徴、及び利点は、添付図面参照の下、以下の好適な実施態様の詳細な説明から明らかにされる。
［図面の簡単な説明］
図１は、ワイヤレスマイクロホン用通信システムのブロック図である。
図２は、コンピュータと、これに接続された周辺機器を示すブロック図である。
図３は、表示装置の表示領域の図である。
図４は、受信機領域の図である。
図５は、文字列領域の図である。
図６は、テレビカメラが設置された舞台の縦断面図である。
図７は、舞台の平面図である。
図８は、ＲＦレベルの時間的な変化を示す図である。
図９は、コンピュータがテレビカメラから受信した、時間ｔ１における画像で




【国際調査報告】
2005006806.tif 000015
2005006806.tif 000016